(57)【要約】【課題】  両替レートの設定誤りを抑制することができる制御装置、取引装置及び取引システムを提供する。【解決手段】  本発明は、第１の通貨の現金を、第２の通貨の現金に両替する両替取引を行う取引装置と、上記取引装置を制御する制御装置とを備える取引システムに関する。そして、本発明の制御装置は、両替比率の入力を受付ける手段と、入力された両替比率が誤っている可能性の有無を判定する手段と、入力された両替比率を取引装置に通知する手段と、入力された両替比率が誤っている可能性の有無を判定する手段と、入力された両替比率が誤っている可能性があると判定された場合警報を出力する手段とを有することを特徴とする。【選択図】      図１
2015215682.tif 000002
【特許請求の範囲】
【請求項１】
第１の通貨の現金を、第２の通貨の現金に両替する両替取引を行う取引装置を制御する制御装置において、
上記第１の通貨と上記第２の通貨を両替する両替比率の入力を受付ける両替比率入力手段と、
入力された両替比率が誤っている可能性の有無を判定する誤入力判定手段と、
入力された両替比率を、上記取引装置に通知する両替比率通知手段と、
上記誤入力判定手段で、入力された両替比率が誤っている可能性があると判定された場合警報を出力する警報出力手段と
を有することを特徴とする制御装置。
【請求項２】
上記両替比率通知手段が上記取引装置に通知した両替比率の履歴情報を保持する履歴情報保持手段をさらに備え、
上記誤入力判定手段は、入力された両替比率と、上記履歴情報の両替比率との比較結果に基づいて、入力された両替比率が誤っている可能性の有無を判定する
ことを特徴とする請求項１に記載の制御装置。
【請求項３】
上記誤入力判定手段は、入力された両替比率と、上記履歴情報の両替比率との差分が所定以上の場合、入力された両替比率が誤っている可能性が有ると判定することを特徴とする請求項２に記載の制御装置。
【請求項４】
上記両替比率入力手段は、複数の異なる通貨の組合せの両替取引について両替比率の入力を受付けることが可能であり、
上記誤入力判定手段は、入力された両替比率の間での比較結果に基づいて、入力された両替比率が誤っている可能性の有無を判定する
ことを特徴とする請求項１に記載の制御装置。
【請求項５】
上記両替比率通知手段が上記取引装置に通知した両替比率の履歴情報を保持する履歴情報保持手段をさらに備え、
上記両替比率入力手段は、複数の異なる通貨の組合せの両替取引について両替比率の入力を受付けることが可能であり、
上記誤入力判定手段は、入力された両替比率の間での大小関係が、上記履歴情報での大小関係と一致しない場合、入力された両替比率が誤っている可能性が有ると判定する
ことを特徴とする請求項１に記載の制御装置。
【請求項６】
上記両替比率入力手段は、上記警報出力手段が警報を出力後に、両替比率の再入力を受付けることが可能であることを特徴とする請求項１〜５のいずれかに記載の制御装置。
【請求項７】
第１の通貨の現金を、第２の通貨の現金に両替する両替取引を行う取引装置において、
上記第１の通貨と上記第２の通貨を両替する両替比率の入力を受付ける両替比率入力手段と、
入力された両替比率が誤っている可能性の有無を判定する誤入力判定手段と、
入力された両替比率を取得し、取得した両替比率を用いて両替取引の処理を実行する両替取引処理手段と、
上記誤入力判定手段で、入力された両替比率が誤っている可能性があると判定された場合警報を出力する警報出力手段と
を有することを特徴とする取引装置。
【請求項８】
第１の通貨の現金を、第２の通貨の現金に両替する両替取引を行う取引装置と、上記取引装置を制御する制御装置とを備える取引システムにおいて、上記制御装置として請求項１〜５のいずれかの制御装置を適用したことを特徴とする取引システム。
【発明の詳細な説明】
【技術分野】
【０００１】
本発明は、制御装置、取引装置及び取引システムに関し、例えば、外貨両替取引に対応する取引装置（以下、「自動外貨両替機」とも呼ぶ）を備える取引システム（以下、「外貨両替システム」とも呼ぶ）に適用し得る。
【背景技術】
【０００２】
従来、自動外貨両替機を備える外貨両替システムでは、各通貨の両替レート（両替比率）を、オペレータ（例えば、係員等の操作者）が手動で設定することができる（例えば、特許文献１〜３の記載技術を参照）。
【先行技術文献】
【特許文献】
【０００３】
【特許文献１】特開２０１０−２８２３１０号公報
【特許文献２】特開２０００−２０８０３号公報
【特許文献３】特開２０００−１１３２８５号公報
【発明の概要】
【発明が解決しようとする課題】
【０００４】
しかしながら、従来の外貨両替システムでは、通貨ごとの両替レートを設定する際の入力間違えが発生するおそれがある。例えば、従来の外貨両替システムでは、制御装置（例えば、モニタ機等の端末）の画面で、両替レートを設定する場合、設定を行うオペレータにより通貨の取り違えや、小数点の位置の誤り等が発生するおそれがあった。
【０００５】
そのため、操作者による両替比率の設定誤りを抑制することができる制御装置、取引装置及び取引システムが望まれている。
【課題を解決するための手段】
【０００６】
第１の本発明は、第１の通貨の現金を、第２の通貨の現金に両替する両替取引を行う取引装置を制御する制御装置において、（１）上記第１の通貨と上記第２の通貨を両替する両替比率の入力を受付ける両替比率入力手段と、（２）入力された両替比率が誤っている可能性の有無を判定する誤入力判定手段と、（３）入力された両替比率を、上記取引装置に通知する両替比率通知手段と、（４）上記誤入力判定手段で、入力された両替比率が誤っている可能性があると判定された場合警報を出力する警報出力手段とを有することを特徴とする。
【０００７】
第２の本発明は、第１の通貨の現金を、第２の通貨の現金に両替する両替取引を行う取引装置において、（１）上記第１の通貨と上記第２の通貨を両替する両替比率の入力を受付ける両替比率入力手段と、（２）入力された両替比率が誤っている可能性の有無を判定する誤入力判定手段と、（３）入力された両替比率を取得し、取得した両替比率を用いて両替取引の処理を実行する両替取引処理手段と、（４）上記誤入力判定手段で、入力された両替比率が誤っている可能性があると判定された場合警報を出力する警報出力手段とを有することを特徴とする。
【０００８】
第３の本発明は、第１の通貨の現金を、第２の通貨の現金に両替する両替取引を行う取引装置と、上記取引装置を制御する制御装置とを備える取引システムにおいて、上記制御装置として第１の本発明の制御装置を適用したことを特徴とする。
【発明の効果】
【０００９】
本発明によれば、両替レートの設定誤りを抑制することができる制御装置、取引装置及び取引システムを提供することができる。
【図面の簡単な説明】
【００１０】
【図１】第１の実施形態に係る制御装置で両替レートの入力を受付ける際の動作について示したフローチャートである。
【図２】第１の実施形態に係る外貨両替システムの全体構成について示したブロック図である。
【図３】第１の実施形態に係る自動外貨両替機の内部構成について示したブロック図である。
【図４】第１の実施形態に係る自動外貨両替機で保持される両替レート情報の構成例について示した説明図である。
【図５】第１の実施形態に係るモニタ機の内部構成について示したブロック図である。
【図６】第１の実施形態に係るモニタ機で保持される両替レート履歴情報の構成例について示した説明図である。
【図７】第１の実施形態に係るモニタ機で表示される両替レート設定画面の構成例について示した説明図である。
【図８】第１の実施形態に係るモニタ機で表示される誤入力警告画面の構成例について示した説明図である。
【図９】第２の実施形態に係るモニタ機で表示される誤入力警告画面の構成例について示した説明図である。
【図１０】第１の実施形態の変形例に係る両替レート設定画面の構成例について示した説明図である。
【図１１】実施形態に係る取引装置の機能的構成の例について示したブロック図である。
【発明を実施するための形態】
【００１１】
（Ａ）第１の実施形態
以下、本発明による制御装置及び取引システムの第１の実施形態を、図面を参照しながら詳述する。なお、以下では、本発明の制御装置及び取引システムを、モニタ機及び外貨両替システムに適用した例について説明する。
【００１２】
（Ａ−１）第１の実施形態の構成
図２は、この実施形態の外貨両替システム１の全体構成を示すブロック図である。
【００１３】
外貨両替システム１には、４台の自動外貨両替機１０（１０−１〜１０−４）と、自動外貨両替機１０を管理・制御するモニタ機２０が配置されている。モニタ機２０及び自動外貨両替機１０−１〜１０−４は、いずれもネットワークＮに接続されており、相互に通信が可能な構成となっている。
【００１４】
次に、自動外貨両替機１０の内部構成について図３を用いて説明する。
【００１５】
自動外貨両替機１０は、制御部１１、通信部１２、現金処理部１３、操作表示部１４、及びレシート印刷部１５を有している。
【００１６】
制御部１１は、自動外貨両替機１０の全体を制御する機能を担うものである。制御部１１は、例えば、ＣＰＵやメモリ等のプログラムの実施構成に実施形態の取引プログラム等をインストールすることにより構成するようにしてもよく、その場合でもその機能的構成は図３のように示すことができる。
【００１７】
通信部１２は、ネットワークＮに接続するためのネットワークインタフェースである。
【００１８】
現金処理部１３は、顧客からの現金の入金（収納）及び顧客への現金の出金（排出）を行うものである。現金処理部１３は、制御部１１の制御に従って、現金の入金及び出金の処理を行う。
【００１９】
操作表示部１４は、顧客とのユーザインタフェースの機能を担っている。操作表示部１４で用いるデバイスについては限定されないものであるが、この実施形態では、タッチパネルディスプレイ１４１を用いて顧客に操作画面（ＧＵＩ画面）を提示し、操作を受付ける構成であるものとして説明する。操作表示部１４は、制御部１１の制御に応じて操作画面を表示し、顧客からの操作入力内容（タッチされた位置等の情報等）を、制御部１１に供給する。なお、操作表示部１４としては、ハードウェアキー等を組み合わせて用いるようにしてもよい。
【００２０】
レシート印刷部１５は、顧客との取引内容（両替内容）を用紙に印刷して排出するものである。
【００２１】
次に、制御部１１の内部構成について説明する。
【００２２】
図３に示すように、制御部１１は、両替取引処理部１１１、設定処理部１１２、及び設定記憶部１１３を有している。
【００２３】
両替取引処理部１１１は、顧客との取引（両替取引）に係る処理を行うものである。具体的には、両替取引処理部１１１は、操作表示部１４を用いて顧客から取引内容（両替内容）を受付け、現金処理部１３で現金（両替前の通貨の現金）の入金を受けると、現金処理部１３から両替後の通貨の現金、及び必要に応じて釣銭を出金する。また、両替取引処理部１１１は、取引終了時に、レシート印刷部１５を制御して取引内容を印刷して排出させる処理を行う。
【００２４】
この実施形態において、自動外貨両替機１０は、第１の通貨としての日本円と、第２の通貨（外貨）としての米国ドル（ＵＳＤ）又はユーロ（ＥＵＲ）との間で両替可能であるものとする。なお、自動外貨両替機１０が両替可能な通貨の種類や数は限定されないものである。また、自動外貨両替機１０では、外貨両替の取引として、日本円を外貨（米国ドル又はユーロ）に両替する「販売取引」と、外貨（米国ドル又はユーロ）を日本円に両替する「購入取引」に対応しているものとして説明する。
【００２５】
以下では、自動外貨両替機１０で日本円と米国ドル（ＵＳＤ）間の外貨両替の取引を行う際の両替レート（両替比率）は、「円／ＵＳＤ」の単位で表すものとする。また、自動外貨両替機１０で日本円とユーロ（ＥＵＲ）間の外貨両替の取引を行う際の両替レート（両替比率）は、「円／ＥＵＲ」の単位で表すものとする。例えば、両替レートが１００円／ＵＳＤの場合、１ドルあたり１００円で両替が行われることになる。なお、自動外貨両替機１０では、販売取引と購入取引とで別個の両替レートを適用するようにしてもよいことは当然である。通常、自動外貨両替機１０に適用する両替レートは両替取引の提供会社の利益を含んでおり、販売取引よりも購入取引の方が低いレートとなる。
【００２６】
なお、以下では、購入取引に用いる両替レートを「購入レート」、販売取引に用いる両替レートを「販売レート」と呼ぶものとする。
【００２７】
設定記憶部１１３は、両替取引処理部１１１が顧客との両替取引を行う際に用いる両替レート等の設定情報を記憶する記憶手段である。
【００２８】
図４は、設定記憶部１１３で記憶する両替レートの情報（以下、「両替レート情報」と呼ぶ）の構成例について示した説明図である。
【００２９】
図４に示すように、両替レート情報には、外貨ごとの両替レート（販売レート及び購入レート）が登録されている。
【００３０】
図４に示す両替レート情報には、米国ドル（ＵＳＤ）とユーロ（ＥＵＲ）の両替レート（販売レート及び購入レート）が登録されている。
【００３１】
設定処理部１１２は、設定記憶部１１３に両替レート情報を含む各情報を設定する処理を行うものである。この実施形態において、設定処理部１１２は、モニタ機２０からの制御指示に基づいて設定記憶部１１３の各情報を設定するものとする。この実施形態では、設定処理部１１２はモニタ機２０から供給される制御指示が含まれる電文（メッセージ）の内容に基づいて設定記憶部１１３の各情報を設定するものとして説明するが、具体的なシーケンスの内容は限定されないものとする。
【００３２】
次に、モニタ機２０の内部構成について図５を用いて説明する。
【００３３】
図５に示すように、モニタ機２０は、制御部２１、通信部２２、及び操作表示部２３を有している。
【００３４】
制御部２１は、モニタ機２０の全体を制御する機能を担うものである。制御部２１は、例えば、ＣＰＵやメモリ等のプログラムの実施構成に実施形態の制御プログラム等をインストールすることにより構成するようにしてもよく、その場合でも機能的構成は図５のように示すことができる。
【００３５】
通信部２２は、ネットワークＮに接続するためのネットワークインタフェースである。
【００３６】
操作表示部２３は、モニタ機２０のオペレータ（操作者）とのユーザインタフェースの機能を担っている。操作表示部２３で用いるデバイスについては限定されないものであるが、この実施形態では、入力手段としてのマウス２３１及びキーボード２３２と、表示出力手段としてのディスプレイ２３３を有しているものとして説明する。操作表示部２３は、ディスプレイ２３３を用いてオペレータに操作画面（ＧＵＩ画面）を提示し、操作を受付ける構成であるものとして説明する。なお、操作表示部２３としては、自動外貨両替機１０と同様にタッチパネルディスプレイを用いるようにしてもよい。
【００３７】
次に、制御部２１の内部構成について説明する。
【００３８】
図５に示すように、制御部２１は、設定受付処理部２１１、両替機状態取得部２１２、及び設定保持部２１３を有している。
【００３９】
設定受付処理部２１１は、オペレータから各自動外貨両替機１０に対して設定（両替レートの設定を含む）する内容を受付けて、その設定内容を各自動外貨両替機１０に通知（設定処理部１１２に通知）して反映させる処理を行う。この実施形態では、設定受付処理部２１１は、電文を用いて各自動外貨両替機１０（設定処理部１１２に通知）に設定内容を通知するものとして説明する。設定受付処理部２１１が、オペレータから両替レートの設定を受付ける際の処理については後述する。
【００４０】
両替機状態取得部２１２は、各自動外貨両替機１０の状態（例えば、エラー状態や収納している現金の残量等）を監視する機能を担っている。
【００４１】
設定保持部２１３は、各自動外貨両替機１０に設定（通知）した各設定の履歴の情報（少なくとも両替レートの設定情報を含む）を記憶するものである。設定保持部２１３には、少なくとも現状（最新）の各自動外貨両替機１０の設定内容の情報が保持されているものとして説明する。
【００４２】
次に、設定受付処理部２１１が、オペレータから両替レートの設定内容を受付ける際の処理（以下、「両替レート受付処理」と呼ぶ）の詳細について説明する。
【００４３】
設定受付処理部２１１は、オペレータから両替レートが入力されると、その両替レートについて誤っている可能性のある値が含まれているか否かを検査する処理（以下、「誤入力判定処理」と呼ぶ）を実行する。
【００４４】
誤入力判定処理により、入力された両替レートに誤りの可能性がないと判定された場合、設定受付処理部２１１は、当該両替レートを各自動外貨両替機１０に通知すると共に、設定保持部２１３に保持される情報を更新する処理（今回通知した両替レートを保持する処理）を行う。
【００４５】
一方、誤入力判定処理により今回入力された両替レートが誤っている可能性があると判断された場合、設定受付処理部２１１は、各自動外貨両替機１０への両替レートの通知を行う前に、オペレータに警告を通知（出力）する処理（以下、「誤入力警告処理」と呼ぶ）を行い、誤りの有無の確認を促す。そして、設定受付処理部２１１は、オペレータによりそのままの両替レートで設定を行う旨の操作がなされた場合のみ、その両替レート（誤入力判定処理により誤っている可能性があると判定された両替レート）を各自動外貨両替機１０に通知し、設定保持部２１３に保持する情報を更新する処理を行う。
【００４６】
また、誤入力警告処理後に、オペレータにより操作画面上で両替レートの変更（修正）が行われた場合、設定受付処理部２１１は、変更後の両替レートについて再度誤入力判定処理から行うことになる。
【００４７】
次に、設定受付処理部２１１が行う誤入力判定処理の具体例について説明する。
【００４８】
この実施形態では、設定受付処理部２１１は、自動外貨両替機１０−１〜１０−４を２つのグループに分けて、グループごとに両替レートの入力を受付けるものとして説明する。なお、設定受付処理部２１１において、両替レートの内容を設定するグループの単位やグループの数は限定されないものであり、例えば、各自動外貨両替機１０を個別に設定するようにしてもよい。
【００４９】
設定受付処理部２１１が、誤入力判定処理を行う際の判定基準については限定されないものであるが、この実施形態の設定受付処理部２１１では、例として、設定保持部２１３に保持されている両替レートの履歴情報等に基づいて誤入力判定処理が行われるものとして説明する。
【００５０】
また、この実施形態では、設定受付処理部２１１は、自動外貨両替機１０−１、１０−２が所属する第１のグループ（以下、「グループＡ」と呼ぶ）と、自動外貨両替機１０−３、１０−４が所属する第２のグループ（以下、「グループＢ」と呼ぶ）に分けて両替レートの入力を受付けるものとして説明する。
【００５１】
この場合、設定記憶部１１３に記憶される両替レートの履歴情報（以下、「両替レート履歴情報」と呼ぶ）は、図６のようになる。図６に示す両替レート履歴情報では、グループごとの両替レート（通貨ごとの販売レート及び購入レート）が登録されている。図６に示す両替レート履歴情報では、前回各自動外貨両替機１０に通知した両替レートだけ（過去１回分）が登録される場合について示しているが、過去複数回分保持するようにしてもよい。
【００５２】
そして、設定受付処理部２１１は、グループごとに、各通貨の両替レート（販売レート及び購入レート）の入力を受付けた後、設定受付処理部２１１に記憶されている両替レート履歴情報を参照して前回の設定値と比較し、所定以上の差分が発生している場合に、今回入力された両替レートに誤って入力された値が含まれていると判定するものとする。
【００５３】
この実施形態では、例として、設定受付処理部２１１は、両替レート履歴情報の両替レートと、今回入力された両替レートとの差分が、両替レート履歴情報の両替レートの１０％以上の場合は、今回入力された両替レートが誤っていると判定するものとして説明する。例えば、米国ドル（ＵＳＤ）の両替レート（販売レート又は購入レート）で、両替レート履歴情報の両替レートが１００円／ＵＳＤだった場合、今回入力された両替レートが９０円／ＵＳＤ以下、又は１１０円／ＵＳＤ以上だった場合、設定受付処理部２１１は、今回入力された両替レートが誤っていると判定することになる。なお、設定受付処理部２１１が誤入力判定処理に用いる閾値（上述の例では、１０％）については、オペレータが任意の値を設定することを可能とするようにしてもよい。
【００５４】
以上のように、モニタ機２０では、制御部２１（設定受付処理部２１１）及び操作表示部２３により、両替比率入力手段、誤入力判定手段、両替比率通知手段、及び警報出力手段が実現されている。また、モニタ機２０では、制御部２１（設定保持部２１３）により、履歴情報保持手段が実現されている。
【００５５】
（Ａ−２）第１の実施形態の動作
次に、以上のような構成を有する第１の実施形態の外貨両替システム１の動作について説明する。
【００５６】
以下では、モニタ機２０でオペレータから両替レートの入力を受付ける際の動作を中心に説明する。
【００５７】
まず、オペレータにより、モニタ機２０が操作され、設定受付処理部２１１の機能が起動（例えば、所定のプログラムが起動）されたものとする（Ｓ１０１）。
【００５８】
そして、オペレータの操作により、グループごとの両替レートを設定するための操作画面（以下、「両替レート設定画面」と呼ぶ）が呼び出され、操作表示部２３（ディスプレイ２３３）に表示されたものとする（Ｓ１０２）。
【００５９】
図７は、設定受付処理部２１１がディスプレイ２３３から表示する両替レート設定画面の構成例について示した説明図である。
【００６０】
図７に示す両替レート設定画面では、各グループ（グループＡ、グループＢ）の、通貨ごと（ＵＳＤ、ＥＵＲ）の両替レート（販売レート及び購入レート）の入力を受付けるためのフィールドＦ１０１と、フィールドＦ１０１に入力され両替レートでの設定を受付けるための設定ボタンＢ１０１が配置されている。
【００６１】
次に、設定受付処理部２１１は、フィールドＦ１０１に入力された各両替レートについて、それぞれ誤入力判定処理を実行する（Ｓ１０４）。
【００６２】
次に、設定受付処理部２１１は、誤入力判定処理で、誤入力の可能性がある両替レートの有無を確認し（Ｓ１０５）、誤入力の可能性のある両替レートがあった場合には、後述するステップＳ１０７から動作し、誤入力の可能性のある両替レートがなかった場合には後述するステップＳ１０６から動作する。
【００６３】
上述のステップＳ１０５で、誤入力の可能性のある両替レートが確認できなかった場合には、設定受付処理部２１１は、各自動外貨両替機１０に対して、フィールドＦ１０１に入力された両替レートの設定を指示する電文を送信すると共に、設定記憶部１１３の両替レート履歴情報に、今回設定した各両替レートを記録する処理を行う（Ｓ１０６）。
【００６４】
一方、上述のステップＳ１０５で、誤入力の可能性のある両替レートがあった場合に、設定受付処理部２１１は、オペレータに誤入力の可能性を通知するための警告（アラーム）を出力する処理（誤入力警告処理）を実行する（Ｓ１０７）。
【００６５】
この実施形態では、設定受付処理部２１１は、誤入力警告処理として、図８に示すような操作画面（以下、「誤入力警告画面」と呼ぶ）をディスプレイ２３３にポップアップ表示するものとして説明する。図８に示す誤入力警告画面では、オペレータに誤入力の可能性を通知するためメッセージ（図８では、「現在の設定から１０％以上変動しています。入力値が正しいか確認してください。」というメッセージ）と、両替レート設定画面に戻って両替レートを再度入力するための変更ボタンＢ２０１（「変更」と表示されたボタン）と、両替レートの設定を継続するための継続ボタンＢ２０２（「継続」と表示されたボタン）が配置されている。
【００６６】
なお、誤入力警告画面において、継続ボタンＢ２０２を削除して、オペレータが設定を強行できない構成としてもよい。
【００６７】
誤入力警告画面で、変更ボタンＢ２０１が押下されると、設定受付処理部２１１は、上述のステップＳ１０３に戻って動作し、両替レート設定画面で両替レートの再入力を受付けることになる。一方、誤入力警告画面で、継続ボタンＢ２０２が押下されると、設定受付処理部２１１は、上述のステップＳ１０６に移行して、各自動外貨両替機１０への両替レートの通知等を実行する。
【００６８】
（Ａ−３）第１の実施形態の効果
第１の実施形態によれば、以下のような効果を奏することができる。
【００６９】
モニタ機２０では、両替レート設定画面で自動外貨両替機１０に設定する両替レートの入力を受付ける際に、誤入力判定処理を行い、入力された両替レートが誤っている恐れがある場合、誤入力警告画面を行う。これにより、モニタ機２０のオペレータは、検出された両替レートの入力誤りを自動外貨両替機１０に設定する前に事前に知り、修正することができる。
【００７０】
また、この実施形態において、モニタ機２０では、設定保持部２１３で保持されている過去の両替レート（両替レート履歴情報）と、今回両替レート設定画面に入力された両替レートとの差分が所定以上の場合（例えば、１０％以上）に、誤入力の可能性が有ると判定し、オペレータに警告を行っている。これにより、第１の実施形態では、モニタ機２０のオペレータが両替レートの入力を誤った場合でも、閾値以上の誤り（上述の例では１０％以上の誤り）については検出されるため、損失を閾値の設定範囲内（上述の例では１０％以内）に収めることが可能となる。
【００７１】
（Ｂ）第２の実施形態
以下、本発明による両替レートの設定誤りを抑制することができる制御装置及び取引システムの第２の実施形態を、図面を参照しながら詳述する。なお、以下では、本発明の制御装置及び取引システムを、モニタ機及び外貨両替システムに適用した例について説明する。
【００７２】
（Ｂ−１）第２の実施形態の構成及び動作
第２の実施形態では、モニタ機２０（設定受付処理部２１１）が行う誤入力判定処理の内容が異なっている。
【００７３】
第１の実施形態では、設定保持部２１３で保持されている過去に設定された両替レート（両替レート履歴情報）と、今回両替レート設定画面に入力された両替レートとの差分が所定以上の場合（例えば、１０％以上）に誤入力の可能性が有ると判定していた。これに対して、第２の実施形態の設定保持部２１３では、今回両替レート設定画面に入力された両替レートにおける通貨間の大小関係も利用して、誤入力の可能性の有無を判定する。具体的には、第２の実施形態の設定保持部２１３では、過去に設定された両替レートにおける通貨間の大小関係と、今回両替レート設定画面に入力された両替レートにおける通貨間の大小関係とが一致しているか否かにより、誤入力の可能性の有無を判定する処理を追加するものとする。例えば、第２の実施形態の設定保持部２１３では、過去に設定された両替レートにおける通貨間の大小関係と、今回両替レート設定画面に入力された両替レートにおける通貨間の大小関係とが一致しない場合にも、誤入力の可能性が有ると判断するものとする。
【００７４】
例えば、過去に設定された両替レートで、ＵＳＤ＜ＥＵＲであった値（いずれかのグループのいずれかの通貨に係る両替レート）について、今回両替レート設定画面に入力された値がＵＳＤ＞ＥＵＲに変わっていた場合には、設定受付処理部２１１は、当該値について誤入力の可能性が有ると判断するようにしてもよい。例えば、設定保持部２１３に保持されている両替レート履歴情報で、ＵＳＤ＝１０２．７、ＥＵＲ＝１３４．０（ＵＳＤ＜ＥＵＲ）であったが、今回両替レート設定画面に入力された値がＵＳＤ＝１３４．０、ＥＵＲ＝１０２．７だった場合（ＵＳＤとＥＵＲで大小関係が逆転している場合）は、ＵＳＤのレートとＥＵＲのレートを取り違えて入力した可能性があると推定できる。なお、誤入力判定処理の基準となる通貨間の大小関係については、所定の大小関係の定義を予め設定（例えば、オペレータ等により事前に定数として設定）可能としてもよい。
【００７５】
以上のように、第２の実施形態の設定保持部２１３は、複数の判断方法で誤入力判定処理を行い、いずれかの判断方法で誤入力の可能性が有ると判断された場合、誤入力警告処理を行う。なお、第２の実施形態の設定保持部２１３では、通貨間の両替レートの大小関係のみに基づいて誤入力判定処理を行うようにしてもよい。すなわち、設定保持部２１３において、誤入力判定処理に用いる判断方法の種類や数は限定されないものである。
【００７６】
また、第２の実施形態の設定受付処理部２１１では、通貨間の両替レートの大小関係に基づいて誤入力の可能性が有ると判断された場合、上述のステップＳ１０７でポップアップ表示する誤入力警告画面の内容（誤入力と判定した理由を示すメッセージ）を変更するようにしてもよい。例えば、第２の実施形態の設定受付処理部２１１は、両替レートにおける通貨間の大小関係に基づいて誤入力の可能性が有ると判断した場合、図９に示すような操作画面を誤入力警告画面としてポップアップ表示するようにしてもよい。図９に示す誤入力警告画面では、オペレータに誤入力の可能性を通知するためメッセージとして、「ＵＳＤよりもＥＵＲの方がレートが低くなっています。入力値が正しいか確認してください。」というメッセージを表示している。
【００７７】
また、第２の実施形態の設定保持部２１３では、今回両替レート設定画面に入力された両替レートで、異なる通貨で同じ値が設定されている場合に、誤入力の可能性が有ると判断するようにしてもよい。例えば、両替レート設定画面の同一グループ内の設定で、ＵＳＤの販売レートが１０２．７、ＥＵＲの販売レートが１０２．７（ＵＳＤ＝ＥＵＲ）であった場合、少なくともいずれかの値が誤っている可能性（別の通貨のレートを誤って入力した可能性）があると推定できる。
【００７８】
さらに、第２の実施形態の設定保持部２１３では、同じ通貨の販売レートと購入レートの大小関係に基づいて、誤入力の可能性の有無を判断するようにしてもよい。通常、自動外貨両替機１０に適用する両替レートは両替取引の提供会社の利益を含んでおり、販売レートよりも購入レートの方が低いレートとなるため、販売レートより購入レートの方が高いレートとなる場合には、入力を誤っている（販売レートと購入レートを取り違えている）可能性がある。
【００７９】
（Ｂ−２）第２の実施形態の効果
第２の実施形態によれば、第１の実施形態と比較して以下のような効果を奏することができる。
【００８０】
第２の実施形態のモニタ機２０では、誤入力判定処理の判断方法を追加することにより、第１の実施形態よりも精度良く誤入力を検出することが可能となる。
【００８１】
（Ｃ）他の実施形態
本発明は、上記の各実施形態に限定されるものではなく、以下に例示するような変形実施形態も挙げることができる。
【００８２】
（Ｃ−１）上記の各実施形態のモニタ機２０では、図７に示すように、両替レート設定画面では、通貨ごとに販売レートと購入レートを設定する構成となっているが、図１０に示すように仲値（基準となる両替レート）と、仲値に対する販売レートの値幅（以下、「販売仲値幅」と呼ぶ）と、仲値に対する購入レートの値幅（以下、「購入仲値幅」と呼ぶ）の入力を受付ける形式としてもよい。
【００８３】
図１０に示す両替レート設定画面では、１つのグループ（グループＡ）について、通貨ごとに、仲値、販売仲値幅、及び購入仲値幅の入力を受付け、これらの値から、自動外貨両替機１０に設定する販売レート及び購入レートを表示する構成となっている。図１０では、現在当該グループの自動外貨両替機１０に設定されている両替レートを表示するフィールド２０１と、通貨ごとの仲値、販売仲値幅、及び購入仲値幅の入力を受付けるためのフィールドＦ２０２と、フィールドＦ２０２に入力された仲値、販売仲値幅、及び購入仲値幅に基づいて求められた通貨ごとの販売レート及び購入レート（変更後の両替レート）を表示するためのフィールドＦ２０３が配置されている。
【００８４】
図１０に示す両替レート設定画面では、例えば、米国ドル（ＵＳＤ）については設定値（フィールドＦ２０２の設定値）が仲値＝１００．００、販売仲値幅＝２．７０、購入仲値幅＝２．７０となっているため、変更後の両替レート（フィールドＦ２０３）では、販売レートが１０２．７０ＵＳＤ／円（仲値＋販売仲値幅＝１００．００＋２．７０＝１０２．７０）、購入レートが９７．３０（仲値−購入仲値幅＝１００．００−２．７０＝９７．３０）となっている。設定保持部２１３は、図１０に示すように仲値を用いて両替レートの入力を受ける場合には、仲値等に基づいて求められた通貨ごとの販売レート及び購入レート（フィールドＦ２０３に表示された内容）について、誤入力判定処理及び自動外貨両替機１０への設定等を行うことになる。
【００８５】
（Ｃ−２）第１の実施形態では、モニタ機２０の設定受付処理部２１１は、オペレータの操作（例えば、図７に示す両替レート設定画面の設定ボタンＢ２０１の押下）に応じて、即時に各自動外貨両替機１０の両替レートを変更(通知)しているが、オペレータの操作に応じたスケジュール（設定に応じた時刻）で各自動外貨両替機１０の両替レートを変更するようにしてもよい。この場合、モニタ機２０の設定受付処理部２１１は、複数回分の両替レートの変更の指示を予め受付けておいて、スケジュール設定された時刻に各自動外貨両替機１０に反映するようにしてもよい。ただし、この場合、モニタ機２０の設定受付処理部２１１は、誤入力判定処理については、直前に反映される両替レートを基準として判断することが望ましい。例えば、モニタ機２０の設定受付処理部２１１に、未来の２回分の両替レートの変更がスケジュール設定される場合、２回目の両替レートの変更を受付ける際に、１回目に変更する両替レートとの比較結果に基づいて誤入力判定処理を行うことが望ましい。
【００８６】
（Ｃ−３）上記の各実施形態では、自動外貨両替機１０とモニタ機２０とは別個の装置として記載しているが、モニタ機２０の機能を自動外貨両替機１０に組み込んだ装置（取引装置）として構築するようにしてもよい。例えば、図１１に示す自動外貨両替機１０Ａでは、上記の各実施形態のモニタ機２０で、両替レートの入力を受付ける処理を行う構成要素（設定受付処理部２１１、及び設定保持部２１３）について、制御部１１Ａに組み込んだ構成となっている。図１１に示す自動外貨両替機１０では、操作表示部１４（タッチパネルディスプレイ１４１）をユーザインタフェースとして、両替取引処理部１１１の機能を起動（所定のプログラムを起動）することにより、設定記憶部１１３に設定する両替レートの入力を受付けることができる。
【符号の説明】
【００８７】
１…外貨両替システム、１０、１０−１〜１０−４…自動外貨両替機、  Ｎ…ネットワーク、１０…自動外貨両替機、１１…制御部、１１１…両替取引処理部、１１２…設定処理部、１１３…設定記憶部、１２…通信部、１３…現金処理部、１４…操作表示部、１４１…タッチパネルディスプレイ、１５…レシート印刷部、２０…モニタ機、２１…制御部、２１１…設定受付処理部、２１２…両替機状態取得部、２１３…設定保持部、２２…通信部、２３…操作表示部、２３１…マウス、２３２…キーボード、２３３…ディスプレイ、２１３…設定保持部。
【図１】
2015215682.tif 000003
【図２】
2015215682.tif 000004
【図３】
2015215682.tif 000005
【図４】
2015215682.tif 000006
【図５】
2015215682.tif 000007
【図６】
2015215682.tif 000008
【図７】
2015215682.tif 000009
【図８】
2015215682.tif 000010
【図９】
2015215682.tif 000011
【図１０】
2015215682.tif 000012
【図１１】
2015215682.tif 000013